(57)【要約】    【課題】  手での待機保持において疲労や傷みを防止ないしは軽減できるとともに、ヘラの手からの抜け落ちをも防止することのできる、塗布用ヘラを提供すること。    【解決手段】  塗装用ヘラ１は、ヘラ本体５と柄体２とからなり、該柄体２には、凹部３が形成されていることを、基本的な構成とする。使用者が本ヘラ１をその手の指二本の間に挟む際に、凹部３に指を合わせて挟むことができるため、凹部３の深さの分だけ、二本の指の離間距離を短くすることができる。つまり、凹部３位置で本ヘラ１を挟むことができるため、挟むのに用いる二本の指を大きく広げる必要がなく、疲労を防止、軽減できる。【選択図】  図１
2007061676.tif 000002
【特許請求の範囲】
【請求項１】
ヘラ本体と柄体とからなる塗布用ヘラに用いる柄体であって、該柄体は、これを塗布用ヘラ使用者がその手の指二本の間に挟んだ際に、二本の指の離間距離を短くすることのできる凹部が形成されていることを特徴とする、塗布用ヘラの柄体。
【請求項２】
前記凹部は、前記柄体の表裏両面の対応する位置に形成されていることを特徴とする、請求項１に記載の塗布用ヘラの柄体。
【請求項３】
ヘラ本体と柄体とからなる塗布用ヘラであって、該柄体は、これを塗布用ヘラ使用者がその手の指二本の間に挟んだ際に、二本の指の離間距離を短くすることのできる凹部が形成されていることを特徴とする、塗布用ヘラ。
【請求項４】
前記凹部は、前記柄体の表裏両面の対応する位置に形成されていることを特徴とする、請求項３に記載の塗布用ヘラ。
【請求項５】
前記凹部は、前記柄体の軸方向上位置において、塗布用ヘラ使用者が前記柄体をその手の指二本の間に挟んで指を握ることのできる程度の位置に形成されていることを特徴とする、請求項３または４に記載の塗布用ヘラ。
【請求項６】
前記凹部は、該柄体の端部から５ｍｍ以内の位置から前記ヘラ本体方向に向かって形成されていることを特徴とする、請求項５に記載の塗布用ヘラ。
【発明の詳細な説明】
【技術分野】
【０００１】
本発明は塗布用ヘラおよびその柄体に係り、特に、シーリング工事等に用いる際の手での保持において疲労を防止、軽減できるとともに、手からの抜け落ちを防止することのできる、塗布用ヘラおよびその柄体に関する。
【背景技術】
【０００２】
塗布用ヘラにおいては、従来種々の提案がなされており、たとえば、幅木用糊塗布ベラの構成として、ヘラ本体の先端縁辺を床面に対して略垂直にして幅木へ塗布する際に、柄部の後端が先端よりも高い位置になるようヘラ本体の先端縁辺に対して斜めに形成されたもの(特許文献１）、布対象物に凹凸がある場合等におけるパテ材やコーキング材の塗布効率を高めるために、ヘラ本体を先端から基端部に向かって所定長の弾性材をもって構成したもの(特許文献２）等がある。
【０００３】
【特許文献１】特開２００４−３３０１２７「幅木用糊塗布ベラ」
【特許文献２】特開２００２−２７６１４７「仕上剤の塗布用ヘラ」
【発明の開示】
【発明が解決しようとする課題】
【０００４】
さてシーリング工事等においては、複数の塗布用ヘラを用いて、これらを適宜持ち替えながら作業することが多い。この時、現在塗布作業に用いるヘラは一方の手に保持し、他のヘラは反対側の手に待機保持する。ここで待機保持は、ヘラの柄体を二本の指の間に挟んで行うことが、ヘラの持ち替えにも待機保持にも便宜である。
【０００５】
しかし、柄体には当然厚さがあるため、これを二本の指の間に挟んで保持することは指には無理な姿勢を強いて疲労を生じさせ、また、傷みも生じさせる。作業時間が長くなるほど疲労と傷みは高まり、作業効率にも悪影響を及ぼすこととなる。
【０００６】
また、従来の塗布用ヘラの構造では、二本の指の間からこれが滑り落ちてしまうこともあり、円滑な作業実施上、問題がある。待機保持することによる疲労が高じるにしたがい、ヘラを手から落としてしまう可能性も高まる。
【０００７】
さらに、塗布用ヘラを三本以上用いる場合は、待機保持しなくてはならないヘラが常時二本以上あり、指の姿勢の無理は相当に高じ、上述の疲労・痛みや滑り落としの可能性は一層高くなる。
【０００８】
図４ー１、図４−２は、従来の塗装用ヘラの使用例を示す説明図であり、前者はヘラを指に挟んだ状態、後者はヘラを挟んだまま指を握ってヘラの待機保持姿勢をとった状態を示す。図では、塗装用ヘラは１９、２９の２本を待機保持する例を示している。これらに図示するように、従来のヘラ１９等を用いた場合の手Ｈの待機保持姿勢には無理があり、指Ｆ１等における傷み、疲労の発生は避けることができず、また指Ｆ１等の間から抜け落ちたり、滑り落ちたりしやすい。
【０００９】
本発明が解決しようとする課題は、上記従来技術の問題点を除き、待機保持すべきヘラの本数に関わらず、手での待機保持において疲労や傷みを防止ないしは軽減できるとともに、ヘラの手からの抜け落ちをも防止することのできる、塗布用ヘラおよびその柄体を提供することである。
【課題を解決するための手段】
【００１０】
本願発明者は上記課題について検討した結果、柄体に所定の凹部構造を設けることによって上記課題の解決が可能であることを見出し、本発明に至った。すなわち、上記課題を解決するための手段として本願で特許請求される発明、もしくは少なくとも開示される発明は、以下のとおりである。
【００１１】
（１）  ヘラ本体と柄体とからなる塗布用ヘラに用いる柄体であって、該柄体は、これを塗布用ヘラ使用者がその手の指二本の間に挟んだ際に、二本の指の離間距離を短くすることのできる凹部が形成されていることを特徴とする、塗布用ヘラの柄体。
（２）  前記凹部は、前記柄体の表裏両面の対応する位置に形成されていることを特徴とする、（１）に記載の塗布用ヘラの柄体。
（３）  ヘラ本体と柄体とからなる塗布用ヘラであって、該柄体は、これを塗布用ヘラ使用者がその手の指二本の間に挟んだ際に、二本の指の離間距離を短くすることのできる凹部が形成されていることを特徴とする、塗布用ヘラ。
（４）  前記凹部は、前記柄体の表裏両面の対応する位置に形成されていることを特徴とする、（３）に記載の塗布用ヘラ。
（５）  前記凹部は、前記柄体の軸方向上位置において、塗布用ヘラ使用者が前記柄体をその手の指二本の間に挟んで指を握ることのできる程度の位置に形成されていることを特徴とする、（３）または（４）に記載の塗布用ヘラ。
（６）  前記凹部は、該柄体の端部から５ｍｍ以内の位置から前記ヘラ本体方向に向かって形成されていることを特徴とする、（５）に記載の塗布用ヘラ。
【発明の効果】
【００１２】
本発明の塗布用ヘラおよびその柄体は上述のように構成されるため、これによれば、待機保持すべきヘラの本数に関わらず、手での待機保持において疲労や傷みを防止、軽減できるとともに、ヘラの手からの抜け落ち、滑り落としをも防止することができる。もちろん、かかる構成をとることによって、実際の使用において何ら問題が発生することもない。
【００１３】
本発明を用いた塗布用ヘラによれば、これを手に待機保持する際の手の指の姿勢は無理のないものであり、作業時間が長時間に及ぶ場合であっても、指の姿勢に無理が生じず、疲労が特に高まることはなく、また従来技術のような傷みが生じることはなく、したがって作業効率が低下するというようなこともない。また、塗布用ヘラを三本以上用いる場合であっても、指の姿勢に無理が生じず、疲労・傷みや滑り落とし等を防止することができる。
【発明を実施するための最良の形態】
【００１４】
以下、本発明を図面により詳細に説明する。
図１は、本発明の塗布用ヘラの基本構成を示す説明図であり、（ａ）は平面図、（ｂ）は側面図である。図示するように本塗装用ヘラ１は、ヘラ本体５と柄体２とからなり、該柄体２には、凹部３が形成されていることを、基本的な構成とする。
【００１５】
かかる構成により本塗装用ヘラ１では、その使用者がその手の指二本の間に挟む際に、該凹部３に指を合わせて挟むことができるため、該凹部３の深さの分だけ、二本の指の離間距離を短くすることができる。つまり、該凹部３位置で本ヘラ１を挟むことができるため、挟むのに用いる二本の指を大きく広げる必要がなく、疲労を防止、軽減できる。
【００１６】
また、該凹部３を形成する該柄体２の後端部４は、該凹部３に収まる指に対して係止部としての作用を有するため、本塗装用ヘラ１が指の間から滑り落ちたり、抜け落ちたりすることが防止される。
【００１７】
図２−１、図２−２は、本発明の塗装用ヘラの使用例を示す説明図であり、前者はヘラを指に挟んだ状態、後者はヘラを挟んだまま指を握ってヘラの待機保持姿勢をとった状態を示す。図では、本塗装用ヘラは１１、２１の２本を待機保持する例を示している。図示するように、本発明塗装用ヘラを用いれば、ヘラ１１を指Ｆ１と指Ｆ２の間に、またヘラ２１を指Ｆ２と指Ｆ３の間に挟める際、それぞれのヘラの凹部１３、２３がちょうど各指Ｆ１等によって挟まれるように保持すると、指Ｆ１−Ｆ２間、指Ｆ２−Ｆ３間の離間距離を短くすることができ、ヘラ１１等の保持のためによけいに各指の間を開く必要がない（図２−１）。
【００１８】
各ヘラ１１、２１の後端部１４、２４は各指間の隙間以上の幅を有するため、これが指F１等上に係止され、下に抜け落ちることがない。この状態から図２−２のように各指F１等を握ることにより、該後端部１４、２４は手のひら側からの固定を受け、各ヘラ１１、２１の待機保持は、一定の姿勢を安定的に維持した状態でなされる。
【００１９】
図１、図２−１に示されるように、本発明塗布用ヘラ１等における凹部３等は、前記柄体２等の表裏両面の対応する位置に形成されたものとすることができる。この場合、図１に示すように、該柄体２の中心軸に対して表裏の凹部３の形状が線対称もしくは略線対称となるように該凹部３を形成することもできるが、凹部の形状、設け方は、必ずしもかかる形状に限定されるものではない。たとえば、表裏の一方の凹部を深くし、他方を浅くするように設けてもよい。なお、凹部が設けられる軸方向長さとしては、表裏とも同等の長さとし、おおむね人間の手指の太さが充分に収まる程度以上の長さとすれば、指Ｆ１等による柄体２の挟み込み、およびその安定的な待機保持姿勢の維持に好適である。
【００２０】
図３は、本発明に係る柄体の形状について、別の例を示す側面図である。図示するように、柄体３２には、表裏のいずれか一方のみに凹部３３を設けた構成としてもよい。
【００２１】
本発明にかかる塗布用ヘラの柄体の凹部は、該柄体の軸方向上位置において、ヘラ使用者が前記柄体をその手の指二本の間に挟んで指を握ることのできる程度の位置に形成されることが、ヘラの安定的な姿勢維持上、望ましい。
【００２２】
この場合、たとえば、該柄体の後端部から１０ｍｍ以内、より望ましくは５ｍｍ以内の位置から、前記ヘラ本体方向に向かって該凹部を形成したものは、ヘラの安定的な姿勢維持に高い効果を発揮できる。
【産業上の利用可能性】
【００２３】
本発明の塗布用ヘラおよびその柄体によれば、手での待機保持において疲労や傷みを防止、軽減でき、ヘラの手からの抜け落ち、滑り落としを効果的に防止できる。したがって、建築工事等の分野において利用価値が高い発明である。
【図面の簡単な説明】
【００２４】
【図１】本発明の塗布用ヘラの基本構成を示す説明図であり、（ａ）は平面図、（ｂ）は側面図である。
【図２−１】本発明の塗装用ヘラの使用例を示す説明図であり、ヘラを指に挟んだ状態を示す。
【図２−２】本発明の塗装用ヘラの使用例を示す説明図であり、ヘラを挟んだまま指を握ってヘラの待機保持姿勢をとった状態を示す。
【図３】本発明に係る柄体の形状について、別の例を示す側面図である。
【図４−１】従来の塗装用ヘラの使用例を示す説明図であり、ヘラを指に挟んだ状態を示す。
【図４−２】従来の塗装用ヘラの使用例を示す説明図であり、ヘラを挟んだまま指を握ってヘラの待機保持姿勢をとった状態を示す。
【符号の説明】
【００２５】
１、１１、２１…塗装用ヘラ
２、３２…柄体
３、１３、２３、３３…凹部
４、１４、２４、３４…後端部
５…ヘラ本体
１９、２９…従来の塗装用ヘラ
Ｆ１、Ｆ２、Ｆ３…指
Ｈ…手
【図１】
2007061676.tif 000003
【図２−１】
2007061676.tif 000004
【図２−２】
2007061676.tif 000005
【図３】
2007061676.tif 000006
【図４−１】
2007061676.tif 000007
【図４−２】
2007061676.tif 000008